(57)【要約】    【構成】  防汚管１０は合成樹脂製の台所用排水管であり、その内表面に抗菌剤を配合した合成樹脂層１４を形成する。    【効果】  抗菌剤は防汚管１０の内表面に露出すれば、表面に付着する水などと接触して、抗菌剤から水は抗菌成分が溶出し易いため、バクテリアが防汚管１０へ付着することを防止することができる。【選択図】  図1
2005090117.tif 000002
【特許請求の範囲】
【請求項１】
台所排水の排水管に使用される合成樹脂製の防汚管において、
内表面に抗菌剤を添加した合成樹脂層を形成したことを特徴とする、防汚管。
【請求項２】
台所排水の排水管に使用される合成樹脂製の防汚管において、
内表面に抗菌剤を添加した混合樹脂層を形成し、前記混合樹脂が塩化ビニル樹脂と生分解性樹脂とを混合した樹脂であることを特徴とする、防汚管。
【請求項３】
台所排水の排水管に使用される合成樹脂製の防汚管において、
内表面に抗菌剤を添加した連続気泡体層を形成したことを特徴とする、防汚管。
【発明の詳細な説明】
【技術分野】
【０００１】
この発明は、防汚管に関し、特にたとえば、台所排水の排水管に使用される防汚管に関する。
【背景技術】
【０００２】
従来の防汚管の一例が、特許文献１に開示されている。この特許文献１の管は給水管および排水管などに使用される管であり、抗菌剤を混入した合成樹脂から形成されている。この抗菌剤は合成樹脂１００ｗｔ％に対して、０．２〜１１．０ｗｔ％混入されている。
【特許文献１】特開平８−４９５３号公報［Ｆ１６Ｌ  ９／１２、Ｅ０３Ｆ  ３／０４］
【発明の開示】
【発明が解決しようとする課題】
【０００３】
特許文献１の従来技術では、この管は排水管にも利用される。しかし、排水管の中でも台所用排水管の排水は油、糖類およびたんぱく質などの有機物を多く含むので、バクテリアがその有機物を栄養として繁殖して、台所用排水管のバクテリアの発生量は著しく多い。そして、繁殖したバクテリアはヌメリの原因となるバイオフィルムを形成し、管内表面に強固に付着する。したがって、台所用排水管では他の排水管に比べてバクテリアが繁殖し易く、またバクテリアはバイオフィルム形成により抗菌剤に耐性を有するようになるので、特許文献１の管が台所用配水管として十分な抗菌作用を発揮することは難しい可能性がある。
【０００４】
それゆえに、この発明の主たる目的は、台所用排水管においてバクテリアの発生を防止することができる、防汚管を提供することである。
【課題を解決するための手段】
【０００５】
請求項１の発明は、台所排水の排水管に使用される合成樹脂製の防汚管において、内表面に抗菌剤を添加した合成樹脂層を形成したことを特徴とする防汚管である。
【０００６】
請求項１の発明では、防汚管の内表面に抗菌剤を含有した合成樹脂層を形成すれば、抗菌剤が防汚管の表面に現れ易く、表面に付着した水と接触する面積が増えるため、水に溶け込む抗菌剤の濃度が高くなり、防汚管の抗菌作用を向上することができる。
【０００７】
請求項２の発明は、台所排水の排水管に使用される合成樹脂製の防汚管において、内表面に抗菌剤を添加した混合樹脂層を形成し、混合樹脂が塩化ビニル樹脂と生分解性樹脂とを混合した樹脂であることを特徴とする防汚管である。
【０００８】
請求項２の発明では、防汚管の内表面に抗菌剤を添加した生分解性樹脂を含む混合樹脂層を形成すれば、混合樹脂層中の生分解性樹脂がバクテリアなどにより分解され、抗菌剤が常に表面に現れる。このため、管内表面に抗菌剤が消滅することなく防汚管の表面に存在して、その表面に付着した水と接触するため、水に溶け込む抗菌剤の濃度を維持でき、防汚管の抗菌作用を持続することができる。
【０００９】
請求項３の発明は、台所排水の排水管に使用される合成樹脂製の防汚管において、内表面に抗菌剤を添加した連続気泡体層を形成したことを特徴とする防汚管である。
【００１０】
請求項３の発明では、防汚管の内表面に抗菌剤を含有した連続気泡体層を形成すれば、連続気泡体の表面に存在する気泡中に水が滞留する。このため、水が抗菌剤と接触する時間が長くなることにより、水に溶け込む抗菌成分の濃度が高くなって、防汚管の抗菌作用を向上することができる。
【発明の効果】
【００１１】
この発明によれば、防汚管の内表面に抗菌剤を含有した合成樹脂層、抗菌剤を含有した塩化ビニル樹脂と生分解性樹脂との混合樹脂層、または抗菌剤を含有した連続気泡体層を形成することにより、台所用排水管においてバクテリアの発生を防止することができる。
【００１２】
この発明の上述の目的，その他の目的，特徴および利点は、図面を参照して行う以下の実施例の詳細な説明から一層明らかとなろう。
【発明を実施するための最良の形態】
【００１３】
図１に示すこの発明の一実施例である防汚管１０の管壁は２層構造であり、その外層１２は塩化ビニル、ポリエチレン，ポリブテン，ポリプロピレンおよびナイロンなどの合成樹脂である。
【００１４】
内層１４は防汚管１０の内表面で外層１２と一体成形され、抗菌剤を配合した合成樹脂からなる。合成樹脂は塩化ビニル、ポリエチレン，ポリブテン，ポリプロピレンおよびナイロンなどである。抗菌剤は、たとえばイミダゾール系有機物およびチアゾリン系有機物などの有機系抗菌剤ならびに無機系抗菌剤である。無機系抗菌剤は銅，銀，金、白金、亜鉛および酸化チタンなどの金属、その金属塩、ならびにシリカ，アルミナ，ゼオライトおよびガラスなどのセラミックス微粒子に金属イオンを担持させた構造などである。銅などの金属は銅イオンなどイオンを発生させるものであれば制限がなく、その形態は純銅や銅合金などの粉末である。
【００１５】
防汚管１０は、たとえば二色押し出し成形により製造される。
【００１６】
この防汚管１０を台所排水の排水管として使用すると、防汚管１０の内表面に付着した水はその表面に露出する抗菌剤、たとえば銅と接触し、抗菌剤から抗菌成分、たとえば銅イオンが水に溶け出す。銅イオンは防汚管１０の内表面に付着するバクテリアの体内に侵入し、代謝系を破壊し酵素活性阻害を起こさせて，細胞の増殖を阻止する。
【００１７】
このように、防汚管１０の内層１４に抗菌剤を含有すると、抗菌剤が防汚管１０の内表面に現れる面積が増えるので、防汚管１０に付着する水と抗菌剤とが接触する機会が増えて、抗菌剤から水へ抗菌成分が溶出し易い。このため、防汚管１０の内表面に存在する抗菌剤および水に溶解した抗菌成分によりバクテリアが防汚管１０に付着し増殖することを防ぐことができる。
【００１８】
さらに、抗菌剤が防汚管１０の内表面に現れる面積が含有する抗菌剤の重量当たりに対して増えると、少ない量で効果的に抗菌成分を得ることができる。このため、高価な種類の抗菌剤を用いてもコストを抑えることができる。そして、抗菌剤を少量に抑えることに伴い、抗菌剤を多量に配合することによる機械的強度の低下を防ぐことができる。仮に、多少機械的強度が低下したとしても内層１４の外表面に合成樹脂の外層１２を用いるので、外層１２が内層１４の機械的強度の低下を補強し、排水管として十分な機械的強度を持たせることができる。
【００１９】
抗菌剤の中でも特に、無機系抗菌剤はバクテリアに対して高い殺菌効果を持ちながら、人体に対して無害なものが多いので、無機系抗菌剤を用いると環境負荷を抑えることができる。
【００２０】
なお、防汚管１０を二色成形により製造したが、防汚管１０の内表面に合成樹脂をライニングしてもよい。ライニング方法として、たとえば合成樹脂を流動浸漬、溶射、塗布および貼り合わせする方法などがある。
【００２１】
図２に示すこの発明の他の実施例である防汚管１０は図１に示す防汚管１０とほぼ同じであるが、内層が異なる。図２に示す防汚管１０の内層１６は抗菌剤を配合した混合樹脂から形成され、その混合樹脂は塩化ビニル樹脂と生分解性樹脂とを混合した樹脂である。塩化ビニル樹脂と生分解性樹脂とでは相溶性が低く、それらを混合して成形した場合でも、両者の樹脂間に結合力はなく、両樹脂はミクロ的に分離された状態で存在している。生分解性樹脂は、たとえば、三井化学製「レイシア」、三菱樹脂製「エコロージュ」、カネボウ合繊製「ラクトロン」、クラレ製「プラスターチ」、ユニチカ製「テラマック」などＰＬＡ（ポリ乳酸）、三菱ガス化学製「ユーペック」、昭和高分子製「ビオノーレ」、三菱化学製「ＧＳ−Ｐｌａ」などＰＢＳ（ポリブチレンサクシネート）、ダイセル化学工業製「セルグリーン」などＰＣＬ（ポリカプロラクトン）を主原料とした樹脂である。これ以外の部分に関しては図１実施例の示す防汚管１０と同様であるため、説明は省略する。
【００２２】
この防汚管１０を台所排水の排水管として使用すると、生分解性樹脂が分解して、塩化ビニル樹脂に混合された抗菌剤が防汚管１０の内表面に現れ、抗菌剤から防汚管１０に付着する水などへ抗菌成分が常に溶け出して、抗菌作用を発揮する。
【００２３】
このように、防汚管１０の内層１６に抗菌剤を添加した生分解性樹脂含有混合樹脂を用いると、時間の経過と伴に防汚管１０の内層１６内の抗菌剤が水に溶け出して消滅したり、抗菌剤の表面に酸化物やバクテリアなどの異物が発生したりなどして、抗菌剤から抗菌成分が溶出できないような場合でも、生分解樹脂の分解に伴い、新たに抗菌剤が防汚管１０の内表面に現れるため、防汚管１０の内表面に存在する抗菌剤および水に溶解した抗菌成分の濃度を維持することにより、バクテリアが防汚管１０へ付着し増殖することを防ぐことができる。
【００２４】
図３（Ａ）に示すこの発明の他の実施例である防汚管１０は図１に示す防汚管１０とほぼ同じであるが、内層が異なり、図３（Ａ）に示す防汚管１０の内層１８は抗菌剤を配合した連続発泡体から形成される。連続発泡体は発泡ポリスチレン、硬質ウレタンフォーム、発泡ポリエチレンおよび発泡塩化ビニルなどである。これ以外の部分に関しては図１実施例の示す防汚管１０と同様であるため、説明は省略する。
【００２５】
この防汚管１０を台所排水の排水管として使用すると、図３（Ｂ）に示すように、防汚管１０の内表面に連続発泡体の気泡１８ａが存在する。排水が防汚管１０の内表面を伝って流れる際、内表面の気泡１８ａ内に一部の水が入って滞留するので、水は長期間抗菌剤と接触して、抗菌剤から水に抗菌成分が溶け出す。このため、防汚管１０の内表面に滞留する水分の抗菌成分の濃度が高くなり、この水は高い抗菌作用を発揮する。
【００２６】
このように、防汚管１０の内層１８に抗菌剤を含有させた連続発泡体を用いると、連続発泡体の気泡１８ａ内に長期間留まった水分の抗菌成分濃度が高くなることにより、バクテリアが防汚管１０へ付着し増殖することを防ぐことができる。
【図面の簡単な説明】
【００２７】
【図１】この発明の一実施例の防汚管を示す断面図である。
【図２】この発明の他の実施例の防汚管を示す断面図である。
【図３】（Ａ）はこの発明の他の実施例の防汚管を示す断面図である。（Ｂ）はこの防汚管の一部を示す拡大図である。
【符号の説明】
【００２８】
１０…防汚管
１２…外層
１４、１６、１８…内層
【図１】
2005090117.tif 000003
【図２】
2005090117.tif 000004
【図３】
2005090117.tif 000005